(57)【特許請求の範囲】
【請求項１】
細長の本体部の先端にケーブルに係合可能な係合部が取り付けられたケーブル引き寄せ具において、
前記係合部は、前記本体部の軸線方向に対して傾斜して配置される一対の支持部と、前記支持部のそれぞれに回転自在に取り付けられたローラとを有し、前記支持部の軸線方向の先端側から前記本体部側の基端側にかけて前記ローラ間の距離が漸次狭くなっていることを特徴とするケーブル引き寄せ具。
【請求項２】
前記ローラの外径がその全長に亘って略一定で、前記一対の支持部を先端側が開くように傾斜して配置させたことを特徴とする請求項１に記載のケーブル引き寄せ具。
【請求項３】
前記一対の支持部が略平行で、前記ローラをテーパ状に形成することで前記ローラ間の距離を先端側から基端側にかけて漸次狭くしたことを特徴とする請求項１に記載のケーブル引き寄せ具。
【請求項４】
前記ローラの外周面に滑り防止用の溝が複数刻まれていることを特徴とする請求項１から請求項３のいずれか一項に記載のケーブル引き寄せ具。
【請求項５】
前記支持部が相対向する方向に弾性力を生じるように前記基端部を形成したことを特徴とする請求項１から請求項４のいずれか一項に記載のケーブル引き寄せ具。
【請求項６】
前記係合部には、前記係合部を手元側に引き戻すときに前記ケーブルに係合するような凹部を形成された引っ掛け部を有することを特徴とする請求項１から請求項５のいずれか一項に記載のケーブル引き寄せ具。
【発明の詳細な説明】
【技術分野】
【０００１】
本発明は、屋内でケーブルを捕捉して引き寄せるために用いられるケーブル引き寄せ具に関する。
【背景技術】
【０００２】
屋内の電気配線を行うときには、天井裏や床下など、人が入り難い狭いところにケーブルを通さなければならないことがある。この際、先端にＵ字形のフックが設けられたケーブル引き寄せ具で天井裏などに送り込んだケーブルを引っ掛けて手繰り寄せると作業を簡単に行えることが知られている。
ここで、ケーブルを予め環状に押し曲げるなどしてループを作っておけばフックにケーブルを引っ掛け易いが、ケーブルがストレートに延びているときにはフックに引っ掛け難かった。そこで、従来のケーブル引き寄せ具では、例えば、特許文献１に開示されているように、Ｕ字形のフックに係合突起が複数設けられた回転体を回動自在に支持させ、回転体とフックが形成するケーブル挿入用の隙間が挿入方向の奥側に至る程小さくなるように形成することでケーブルを確実に把持できるようにしていた。ケーブルを引っ掛けるときは、フックの手元側の開放端側からケーブルをフックと回転体の間に挿入させる。この状態でケーブル引き寄せ具を手元側に引き戻すと、ケーブルがフックと回転体の間に引き込まれ、回転体の回転によってケーブル挿入用の隙間が狭くなる奥側に相対的に送り込まれ、フックと回転体とに狭持される。ケーブル引き寄せ具を手元側にさらに引き戻すと、フックと回転体とに狭持されたケーブルが手繰り寄せられる。
【特許文献１】実開平７−３０５２２号公報
【発明の開示】
【発明が解決しようとする課題】
【０００３】
しかしながら、狭い場所でＵ字形のフックにケーブルを通すには、一旦ケーブルを越える位置までフックを送り込み、手元側に設けられているフックの開放端と作業者の間にケーブルを配置させる必要があった。しかも、フックとケーブルを略直交するように配置しなければフックの隙間にケーブルを案内できないが、狭い天井裏などではケーブルとケーブル引き寄せ具の配置には制約があり、フックの向きをケーブルの向きに合わせられないことがあった。すなわち、ケーブルが引き寄せ方向に平行になってしまった場合には挟持させることが不可能であった。また、ケーブルの向きが合っていても、狭い天井裏などでフックと回転体の隙間にケーブルを導くことは困難であり、作業に熟練を要していた。
この発明は、このような事情に鑑みてなされたものであり、ループ等が形成されていないケーブルであっても簡単に引っ掛けることができるケーブル引き寄せ具を提供することを主な目的とする。
【課題を解決するための手段】
【０００４】
本発明の請求項１に係る発明は、細長の本体部の先端にケーブルに係合可能な係合部が取り付けられたケーブル引き寄せ具において、前記係合部は、前記本体部の軸線方向に対して傾斜して配置される一対の支持部と、前記支持部のそれぞれに回転自在に取り付けられたローラとを有し、前記支持部の軸線方向の先端側から前記本体部側の基端側にかけて前記ローラ間の距離が漸次狭くなっていることを特徴とするケーブル引き寄せ具とした。
【０００５】
請求項２に係る発明は、請求項１に記載のケーブル引き寄せ具において、前記ローラの外径がその全長に亘って略一定で、前記一対の支持部を先端側が開くように傾斜して配置させたことを特徴とする。
【０００６】
請求項３に係る発明は、請求項１に記載のケーブル引き寄せ具において、前記一対の支持部が略平行で、前記ローラをテーパ状に形成することで前記ローラ間の距離を先端側から基端側にかけて漸次狭くしたことを特徴とする。
【０００７】
請求項４に係る発明は、請求項１から請求項３のいずれか一項に記載のケーブル引き寄せ具において、前記ローラの外周面に滑り防止用の溝が複数刻まれていることを特徴とする。
【０００８】
請求項５に係る発明は、請求項１から請求項４のいずれか一項に記載のケーブル引き寄せ具において、前記支持部が相対向する方向に弾性力を生じるように前記基端部を形成したことを特徴とする。
【０００９】
請求項６に係る発明は、請求項１から請求項５のいずれか一項に記載のケーブル引き寄せ具において、前記係合部には、前記係合部を手元側に引き戻すときに前記ケーブルに係合するような凹部を形成された引っ掛け部を有することを特徴とする。
【発明の効果】
【００１０】
本発明によれば、一対のローラの間にケーブルが位置するように配置してから本体部を引き寄せて係合部を後退させると、ローラの回転によってケーブルがローラ間の距離が狭い領域に引き込まれて係合させられるので、ループ等を有しないケーブルであって簡単に手繰り寄せることが可能になる。
【発明を実施するための最良の形態】
【００１１】
本発明を実施するための最良の形態について図面を参照しながら詳細に説明する。
図１に本実施の形態に係るケーブル引き寄せ具を示す。ケーブル引き寄せ具１は、棒状で長さ調整が可能な本体部２の先端にケーブルに係合させられる係合部３が設けられている。
本体部２は、伸竿と同様の構成、即ち複数本の円筒を突没可能に嵌挿させることで全体として長軸方向に伸縮自在に構成され、最大径の円筒部２Ａを使用者が掴んで使用し、最小径の円筒部２Ｂに係合部３が取り付けられている。
【００１２】
図２及び図３に示すように、係合部３は、本体部２の伸縮方向に延びる基部１１を有し、基部１１の先端に一対の支持部１２が伸縮方向の軸線ｍ１に対して所定の角度α、例えば、１１０°の角度を持って斜め前方に延びている。さらに、図３に示すように一対の支持部１２は、基部１１側が対象とするケーブル径（幅）よりも狭く、かつ先端側がケーブル径よりも広く開くように開拡されている。そして、支持部１２は基部１１をバネ材により構成することにより、対向側に付勢力を発生させるようにしている。各支持部１２には、ローラ１３が１つずつ回転自在に取り付けられている。ローラ１３は、支持部１２の軸線方向に延びる円筒形を有する。ローラ１３の外径はその全長に亘って略一定であるので、ローラ１３間の距離は支持部１２の下側から支持部１２の上側（基部１１側）に至るまで漸次狭くなっている。なお、図２に示す側面視では、軸線ｍ１方向の先端側から軸線ｍ１方向で手元側の基端側に至るまでローラ１３間の距離が漸次狭くなっている。
さらに、各ローラ１３の外周面には、ケーブルの滑りを防止するための溝１４が多数刻まれている。溝１４は、ケーブル引き寄せ具１の進退方向に対して交差する方向に刻まれている。なお、溝１４の代わり突条を設けても良い。
【００１３】
さらに、図２に示すように、支持部１２よりも基端側には、引っ掛け部である引っ掛け金具１５が設けられている。引っ掛け金具１５は、基部１１及び支持部１２に一体に設けられており、基端側から先端側に向かって凹部１５Ａを形成することで、係合部３を引き戻すときにケーブル２１を引っ掛けられるようになっている。
【００１４】
次に、このケーブル引き寄せ具１の動作について説明する。
天井裏等にケーブル２１を引き回す際、本体部２を伸ばし、手の届かないところにあるケーブル２１の端部まで係合部３を送り出す。図３及び図４に実線で示すように、ケーブル２１を二又に分岐している一対の支持部１２のローラ１３の間に通させる。このとき、支持部１２が傾斜しているので、ケーブル２１の一部が一対のローラ１３の接触ポイントＰ１に当接させられる。この後、ケーブル引き寄せ具１を引き戻したり、本体部２を収縮させたりすると、係合部３が後退する。ケーブル２１はローラ１３に接触しているだけなので、ケーブル２１の位置は殆ど動かない。しかしながら、ローラ１３には滑り防止の溝１４が刻まれているので、接触ポイントＰ１に生じるケーブル２１との摩擦力によってローラ１３が図３及び図４の矢印に示す方向、つまり相対向する向きに回転する。
【００１５】
ローラ１３の回転によって接触ポイントＰ１も移動するが、ローラ１３の回転軸が傾斜角度αで傾斜していることから、接触ポイントＰ１が基部１１側（接触ポイントＰ２）まで移動する。基部１１側ではローラ１３間の距離が狭くなっているので、ケーブル２１とローラ１３の接触面積が増える。本体部２をさらに引き戻して係合部３を後退させると、ケーブル２１がさらに移動してケーブル２１が一対のローラ１３に基部１１の弾性と相まって狭持される。その結果、本体部２を引くと、係合部３に狭持されたケーブル２１も一緒に引っ張れる。係合部３を手元まで引き戻すと、ケーブル２１が手繰り寄せられて配線が完了する。
【００１６】
また、ケーブル２１を押し曲げたりしている場合などは、係合部３に設けられた引っ掛け金具１５を使用できる。図５に示すように、引っ掛け金具１５の凹部１５Ａにケーブル２１のループを引っ掛けてから係合部３を手元まで引き戻すと、ケーブル２１が手繰り寄せられる。
さらに、引っ掛け金具１５でローラ１３の間に挿入し易いようにケーブル２１の向きを調整すると、狭い空間内でもケーブル２１をケーブル引き寄せ具１にスムーズに係合させることが可能になる。
【００１７】
以上、説明したように、このケーブル引き寄せ具１では、ローラ１３を係合部３が進退する方向に対して先端側に傾斜して配置させたので、係合部３を後退させたときにケーブル２１をローラ１３間の隙間が狭い領域に引き込むことが可能になる。このため、一対のローラ１３間にケーブル２１を通した状態で係合部３を後退させるだけでケーブル２１を簡単に係合させることが可能になる。
さらに、ケーブル引き寄せ具１の進退方向と、ケーブル２１の向きとが略一致する状態でケーブル２１を係合させられるようになるので作業が簡単になる。一対のローラ１３が略Ｖ字型に開いているので、ケーブル２１をローラ１３間に配置し易く、係合部３の向きとケーブル２１の向きが多少ずれていた場合でも、ケーブル２１を一対のローラ１３間に案内し易い。
【００１８】
なお、進退方向に対する支持部１２及びローラ１３の傾斜角度は、１００°より大きく１３０°以下であることが望ましい。この角度範囲を越えると、ローラ１３の回転によってケーブル２１をローラ１３間の隙間が狭い領域に引き込み難くなる。
【００１９】
ここで、この実施の形態の変形例を図６及び図７に示す。
このケーブル引き込み具３１は、本体部２の先端に係合部３３が取り付けられている。係合部３３は、基部１１から一対の支持部３４が傾斜して設けられている。支持部３４の傾斜角度αは、前記した支持部１２と同様である。
一対の支持部３４は平行に配置されており、その各々にローラ３５が１つずつ回転自在に取り付けられている。ローラ３５は、基部１１側の上端が大径に、反対側の下端が小径になるようなテーパ状の外周面を有し、外周面には滑り止めの溝１４が複数刻まれている。ローラ３５の上端間の距離はケーブル２１の幅より狭く、下端側の距離はケーブル２１の幅より十分に大きくなっており、下端から上端に至るまでの間はローラ３５間の距離が漸次狭くなっている。
【００２０】
ケーブル２１を手繰り寄せるときは、天井裏等に係合部３３を送り込んで一対のローラ３５間にケーブル２１を通させる。ケーブル２１をローラ３５に当接させた状態で係合部３３を後退させると、ケーブル２１との摩擦によってローラ３５が矢印で示す方向、つまり対向する方向に回転する。このとき、ローラ３５が傾斜配置されていることから、ローラ３５とケーブル２１との接触ポイントＰ１が接触ポイントＰ２まで移動する。これによって、ケーブル２１が相対的に上側（基部１１側）に移動させられる。基部１１側ではローラ１３の外径が増大させられているので、ケーブル２１とローラ３５の接触面積が増えて、ケーブル２１が係合部３３に係合される。その結果、係合部３３を手元まで後退させると、ケーブル２１を手繰り寄せられる。
【００２１】
なお、本実施の形態では、一対の支持部１２，３４が下向きに配置されるように係合部３，３３が使用されているが、一対の支持部１２，３３が上向きになるように係合部３，３３を配置しても良い。重力の作用によってケーブル２１をよりローラ１３，３５間の距離が短い領域に導きやすくなる。
また、ケーブル引き寄せ具１において、一対のローラ１３を先端側が拡径するようなテーパ形にしても良い。ローラ１３間の距離が大きい領域でローラ径が大きくなることで、ケーブル引き寄せ具１を引き寄せたときのケーブル２１の接触ポイントＰ１の移動量が大きくなり、ケーブル２１を係合させ易くなる。
【図面の簡単な説明】
【００２２】
【図１】本発明の実施の形態に係るケーブル引き寄せ具の全体構成を示す図である。
【図２】係合部を拡大して示す側面図である。
【図３】図２のＡ矢視であって、一対のローラの配置を説明する図である。
【図４】ケーブルを係合させるときの動作を説明する図である。
【図５】引っ掛け金具でケーブルを係合させる動作を説明する図である。
【図６】本発明の変形例であって、ローラの外径によってローラ間の距離を変化させた例を示す図である。
【図７】図６の変形例の側面図である。
【符号の説明】
【００２３】
１，３１    ケーブル引っ掛け具
２    本体部
３，３３    係合部
１１    基部
１２，３４    支持部
１３，３５    ローラ
１４    溝
１５    引っ掛け金具
１５Ａ    凹部
【図１】
0005147529.tif 000002
【図２】
0005147529.tif 000003
【図３】
0005147529.tif 000004
【図４】
0005147529.tif 000005
【図５】
0005147529.tif 000006
【図６】
0005147529.tif 000007
【図７】
0005147529.tif 000008